(57)【特許請求の範囲】
【請求項１】
乗物に搭載され、該乗物の客室内を照らすための客室用照明装置において、
前記客室内に設けられた複数の照明手段と、該複数の照明手段ごとの照明を調整する制御手段と、各種情報を検知するモニター手段とを有し、
前記照明手段は、調色可能なものであり、
前記モニター手段で検知される各種情報は、走行位置、時刻、日付の少なくとも何れかの分類を含むように分けられ、それぞれの分類ごとに別々に用意された複数の調色パターンが備えられており、
前記制御手段は、前記モニター手段で検知される各種情報の分類ごとに、それぞれの分類に対応した各調色パターンに基づき、前記客室内にある複数の照明手段のうち特定エリアを照らす照明手段を単位として調色することを特徴とする客室用照明装置。
【請求項２】
前記各種情報の分類ごとに、それぞれ優先度が定められており、複数の分類の調色パターンが重複した場合には、優先度の高い分類の調色パターンが選択され、
さらに、同じランクの優先度の調色パターンが重複した場合には、該同じランクの優先度の調色パターンのうち予め定められた順位に従い調色パターンが選択されることを特徴とする請求項１に記載の客室用照明装置。
【発明の詳細な説明】
【技術分野】
【０００１】
本発明は、乗物に搭載され、該乗物の客室内を照らすための客室用照明装置であり、各種乗物のうち、特に鉄道車両に最適に搭載されるものに関する。
【背景技術】
【０００２】
従来より、乗物である鉄道車両や航空機等の客室内には、様々なタイプの照明装置が設けられている。特に最近では、従来の主流であった蛍光灯に代わり、ＬＥＤランプを光源としたものが増えている（例えば、特許文献１）。このようにＬＥＤランプを光源とした照明装置の場合は、特許文献１にも記載の通り、調光（照度）制御を蛍光灯に比べて比較的簡単に行うことができる。
【０００３】
また、乗物用の照明装置ではないが、他にＬＥＤランプを光源とした照明装置として、調光のみならず色温度を変化させる照明装置も知られている（例えば、特許文献２，３）。特許文献２に記載の照明装置では、時刻と共に光源の光色全体の色温度を変化させており、特許文献３に記載の照明装置は、屋外の環境を再現するように色温度や照度を変化させるものであった。
【先行技術文献】
【特許文献】
【０００４】
【特許文献１】特開２０１２−０８６８１３号公報
【特許文献２】特許第２９１５９６６号公報
【特許文献３】特許第３２００７４４号公報
【発明の概要】
【発明が解決しようとする課題】
【０００５】
しかしながら、前述した特許文献１に記載された従来の技術では、鉄道車両の客室内に設けられていても、調色の機能はなく単色で点灯させるだけのものであった。そのため、客室内の照明雰囲気は特に変化することもなく固定化されており、照明では単調な空間しか演出することができないという問題があった。
【０００６】
また、特許文献２，３に記載された従来の技術では、調光のみならず調色の機能もあるが、調色の契機が時刻や屋外環境に限られたものであり、その調色の単調さは否めなかった。そのため、乗物用の照明に適用したとしても、乗物の移動に伴う状況の変化や乗物独自の特性に応じた調色の制御を実現できるものではなく、やはり照明では単調な空間しか演出することができなかった。
【０００７】
本発明は、以上のような従来の技術の有する問題点に着目してなされたものであり、特に乗物の客室内を照らす照明として、様々な状況に応じて多様な調色制御を可能とし、照明によって快適な客室空間を演出することができる照明装置を提供することを目的としている。
【課題を解決するための手段】
【０００８】
前述した目的を達成するための本発明の要旨とするところは、以下の各項の発明に存する。
［１］乗物（１）に搭載され、該乗物（１）の客室内を照らすための客室用照明装置（１０）において、
前記客室内に設けられた複数の照明手段（１１）と、該複数の照明手段（１１）ごとの照明を調整する制御手段（２０，１４）と、各種情報を検知するモニター手段（２３）とを有し、
前記照明手段（１１）は、調色可能なものであり、
前記モニター手段（２３）で検知される各種情報は、走行位置、時刻、日付の少なくとも何れかの分類を含むように分けられ、それぞれの分類ごとに別々に用意された複数の調色パターンが備えられており、
前記制御手段（２０，１４）は、前記モニター手段（２３）で検知される各種情報の分類ごとに、それぞれの分類に対応した各調色パターンに基づき、前記客室内にある複数の照明手段（１１）のうち特定エリアを照らす照明手段（１１）を単位として調色することを特徴とする客室用照明装置（１０）。
【０００９】
［２］前記各種情報の分類ごとに、それぞれ優先度が定められており、複数の分類の調色パターンが重複した場合には、優先度の高い分類の調色パターンが選択され、
さらに、同じランクの優先度の調色パターンが重複した場合には、該同じランクの優先度の調色パターンのうち予め定められた順位に従い調色パターンが選択されることを特徴とする前記［１］に記載の客室用照明装置（１０）。
【００１０】
次に、前述した解決手段に基づく作用を説明する。
前記［１］に記載の客室用照明装置（１０）によれば、飛行機や鉄道車両等の乗物（１）の客室内を照らす照明手段（１１）は調色可能なものである。乗物（１）に搭載されたモニター手段（２３）で検知される各種情報は、走行位置、時刻、日付の少なくとも何れかの分類を含むように分けられ、それぞれの分類ごとに別々に用意された複数の調色パターンが備えられている。制御手段（２０，１４）は、前記モニター手段（２３）で検知される各種情報の分類ごとに、それぞれの分類に対応した各調色パターンに基づき照明手段（１１）を調色する。
【００１１】
すなわち、モニター手段（２３）によって各種情報が検知されると、その情報が制御手段（２０，１４）へ出力される。そして、制御手段（２０，１４）は、入力した情報に対応した調色パターンを選択して、この調色パターンに基づき照明手段（１１）は調色される。これにより、各種情報に応じた様々な調色が可能となる。
【００１２】
ここで照明手段（１１）は、例えば光源として調色可能なＬＥＤを備えて成り、その具体的な形態は直接照明または間接照明の別を問わない。また、具体的な調色の方法も、特定の方法に限られることなく、周知の何れかの調色方法を採用すれば良い。また、各種情報は前述したように、乗物（１）の移動に伴ない変化する走行位置や、日時を特定する時刻、日付の少なくとも何れかの分類を含むように分けられ、その他、走行位置が市街地か郊外であるか等の環境や天気等の外部状況等の様々な事象に関する情報が考えられる。
【００１３】
乗物（１）の客室内には複数の照明手段（１１）が設けられており、制御手段（２０，１４）は、複数の照明手段（１１）ごとに調色可能である。ここで制御手段（２０，１４）は、前記モニター手段（２３）で検知される各種情報の分類ごとに、それぞれの分類に対応した各調色パターンに基づき、客室内にある複数の照明手段（１１）のうち特定エリアを照らす照明手段（１１）を単位として調色する。これにより、同じ客室内でも、シルバーシートや車椅子エリア等、特定エリアの照明手段（１１）だけを電球色または暖色系に調色し、それ以外のエリアの照明手段（１１）は昼白色または寒色系に調色すること等が可能となる。
【００１４】
また、前記［２］に記載の客室用照明装置（１０）によれば、前記各種情報の分類ごとにそれぞれ優先度が定められており、複数の分類の調色パターンが重複した場合には、優先度の高い分類の調色パターンが選択される。この優先度の順に選択された調色パターンに基づいて、照明手段（１１）は調色される。さらに、同じランクの優先度の分類の調色パターンが重複した場合には、予め定めた順位に基づいて調色パターンが選択される。
【発明の効果】
【００１５】
本発明に係る客室用照明装置によれば、特に乗物の客室内を照らす照明として、様々な状況に応じて多様な調色制御が可能であり、照明によって快適な客室空間を演出することができる。
【図面の簡単な説明】
【００１６】
【図１】本発明の実施の形態に係る客室用照明装置の一例を概略的に示すブロック図である。
【図２】本発明の実施の形態に係る客室用照明装置の一例を詳細に示すブロック図である。
【図３】本発明の実施の形態に係る客室用照明装置における単方向通信用の制御手段の詳細を示すブロック図である。
【図４】本発明の実施の形態に係る客室用照明装置における双方向通信用の制御手段の詳細を示すブロック図である。
【図５】本発明の実施の形態に係る客室用照明装置の制御手段を複数設けた例を示すブロック図である。
【図６】本発明の実施の形態に係る客室用照明装置における単方向通信用の照明手段の詳細を示すブロック図である。
【図７】本発明の実施の形態に係る客室用照明装置における双方向通信用の照明手段の詳細を示すブロック図である。
【図８】本発明の実施の形態に係る客室用照明装置で走行位置に応じて調色する制御の流れを示すフローチャートである。
【図９】本発明の実施の形態に係る客室用照明装置で現在時刻に応じて調色する制御の流れを示すフローチャートである。
【図１０】本発明の実施の形態に係る客室用照明装置で日付に応じて調色する制御の流れを示すフローチャートである。
【図１１】本発明の実施の形態に係る客室用照明装置で号車（車両）に応じて調色する制御の流れを示すフローチャートである。
【発明を実施するための形態】
【００１７】
以下、図面に基づき本発明を代表する実施の形態を説明する。
本実施の形態に係る客室用照明装置１０は、乗物に搭載され、該乗物の客室内を照らすものである。ここで乗物とは、鉄道車両、飛行機、自動車等と様々なものが存在するが、以下に、鉄道車両１に搭載する場合について説明する。
【００１８】
図１は、鉄道車両１に搭載した客室用照明装置１０の一例を概略的に示すブロック図であり、図２は、同装置１０の一例を詳細に示すブロック図である。  
図１、図２における鉄道車両１では、先頭車両１Ａと、これに続く車両１Ｂの２両のみを示したが、１両だけ、あるいは３両以上の編成でも良い。なお、先頭車両１Ａには、客室の他に乗務員室が設けられている。
【００１９】
鉄道車両１において、客室用照明装置１０は、車両１Ａ，１Ｂごとの客室内に設けられた照明手段１１と、該照明手段１１による照明を調整する制御手段２０と、各種情報を検知するモニター手段２３とを有している。本実施の形態では、後述するがモニター手段２３は、制御手段２０の機能の一部として構成されている。なお、照明手段１１は、車両１Ａ，１Ｂごとの客室内にそれぞれ４つずつ図示し、制御手段２０は、先頭車両１Ａの乗務員室に１つだけ図示したが、これらの数は一例にすぎない。
【００２０】
照明手段１１は、客室内の例えば天井部分等に設けられており、配光の形態は直接照明または間接照明の別を問わないものである。照明手段１１は、調色可能な光源１２を備えており、この光源１２の種類は特に限定されないが、ＬＥＤランプであることが好ましい。ＬＥＤランプは、調色および調光の制御が容易なだけでなく、小型である、低消費電力である、長寿命である等の利点がある。
【００２１】
図２に示すように、本実施の形態では、各照明手段１１ごとに光源１２は、昼白色のＬＥＤランプである光源Ａ１２Ａと、色温度の異なる電球色のＬＥＤランプである光源Ｂ１２Ｂとを組み合わせて成る。以下、光源Ａ１２Ａと光源Ｂ１２Ｂを総称する場合は光源１２と表記する。光源１２の具体的な調色の方法としては、例えば、昼白色の光源Ａ１２Ａと電球色の光源Ｂ１２Ｂの点灯ないし消灯の組み合わせで調色することができる。
【００２２】
ここで具体的な組み合わせとしては、何れか一方のみ点灯させた場合（２色）と、両方とも点灯させた場合（１色）の計３色（３段階）が考えられる。また、光源Ａ１２Ａと光源Ｂ１２Ｂをそれぞれ何等分かに分けて、組み合わせ数（調色のパターン数）を適宜増やしても良く、あるいは、個々の発光レベルを電圧や電流の調整により無段階に制御し、様々な色温度を作り出すこともできる。他にも、ＰＷＭ制御を利用する等、他の周知の調色方法を採用しても良い。
【００２３】
また、図２に示すように、照明手段１１は、前述の光源１２の他にも、後述する制御手段２０との間で各種信号を送受信するための送受信部１３と、光源１２の発光を直接制御する調色制御部１４を備えている。調色制御部１４は、次述する制御手段２０からの制御信号を受信し、光源１２の点灯駆動を直接制御するものである。なお、照明手段１１は、その他図示省略したが、光源１２等を収納するケーシングや、光源１２の発光面側を覆うレンズないし透光カバー等を備えている。
【００２４】
図３は、単方向通信用の制御手段２０Ａの詳細を示すブロック図であり、図４は、双方向通信用の制御手段２０Ｂの詳細を示すブロック図である。制御手段２０Ａは、前記光源１２へ制御信号を出力するだけであるが、制御手段２０Ｂは、前記照明手段１１や他の制御手段との間で、互いに制御信号等を送受信することができるものである。以下、制御手段２０Ａと制御手段２０Ｂを総称する場合は制御手段２０と表記する。
【００２５】
制御手段２０は、前記照明手段１１と伝送路を介して接続されており、各照明手段１１の調色ないし調光を含む照明に関する制御を実行する。図３および図４に示すように、制御手段２０は、図１および図２にも示した送受信部２１、図２に示した設定情報記憶部２２と判定部２３の他、図３および図４に示すように、調色パターン設定部２４、調色データ生成部２５等を備えている。かかる制御手段２０は、具体的にはＣＰＵと、ＣＰＵで実行するプログラムや各種の固定的データを記憶するＲＯＭ、プログラムを実行する上で一時的に必要になるデータを記憶するためのＲＡＭ等を主要部とする回路で構成される。
【００２６】
送受信部２１は、図３に示す単方向通信用の制御手段２０Ａでは、情報を変調して送信する変調・送信部２１Ａのみから構成されるが、図４に示す双方向通信用の制御手段２０Ｂでは、前記変調・送信部２１Ａと、受信した情報を復調する受信・復調部２１Ｂとから構成される。また、制御手段２０は、内部時計２６を有しており、日付および時刻を取得可能となっている。
【００２７】
図２に示した設定情報記憶部２２は、詳しくは図３および図４に示すように、時刻に基づく調色パターンの設定情報を記憶する時刻・調色パターン設定情報ＲＯＭ２２ａ、日付に基づく調色パターンの設定情報を記憶する日付・調色パターン設定情報ＲＯＭ２２ｂ、位置に基づく調色パターンの設定情報を記憶する位置・調色パターン設定情報ＲＯＭ２２ｃを備えている。
【００２８】
判定部２３は、前記設定情報記憶部２２から各種調色パターンの設定情報や、走行中の位置情報（地点情報）を入力すると共に、次述する調色パターン設定部２４からの情報を入力して、これらの情報に基づき各種判定を実行して、その判定結果を後述する調色データ生成部２５に出力したり、前記照明手段１１における現在点灯中の調色情報を判定して外部に出力するものである。
【００２９】
このような判定部２３は、各種情報を検知する「モニター手段」を構成するものとなる。特に前記位置情報は、例えば、鉄道車両１に備えられた速度発電機（図示せず）から車輪回転数（に応じたパルス信号）として受信し、これに基づき鉄道車両１の現在の走行位置を算出したり、一般的なＧＰＳ機能を利用したものでも良い。
【００３０】
調色パターン設定部２４は、個々の照明手段１１を識別する識別ＩＤを記憶した照明手段識別ＩＤ情報ＲＯＭ２７や、車両（号車）ごとに照明手段１１を識別する別の識別ＩＤを記憶した照明手段識別ＩＤ情報ＲＯＭ２８、それに前記判定部２３（モニター手段）で判定（検知）される各種情報に対応した複数の調色パターンを記憶した調色パターン記憶部２９からそれぞれ情報を入力する他、乗務員操作に基づく情報も入力し、これらの情報に基づいて所定の調色パターンを設定するものである。
【００３１】
この調色パターン設定部２４で設定された調色パターンは、前記判定部２３と次述する調色データ生成部２５に出力される。なお、前記乗務員操作に基づく情報には、乗務員が任意に調色パターンを手動で選択した際の操作に基づくマニュアル調色情報の他、乗務員が車両（号車）または個々の照明手段１１ごとに調色パターンを選択した際の操作に基づく情報も含まれる。
【００３２】
調色データ生成部２５は、前記判定部２３や前記調色パターン設定部２４から出力された情報に基づいて、実際に照明手段１１の点灯を調色するための所定の調色データを生成する。この調色データに基づいて、後述する照明手段１１の調色制御部１４によって調色パターンが生成される。この調色データ生成部２５で生成された調色データは、前述した送受信部２１の変調・送信部２１Ａから制御信号として照明手段１１に出力される。
【００３３】
なお、図１に示した例では、制御手段２０を、先頭車両１Ａの乗務員室に１つだけ設けているが、図５に示すにように、先頭車両１Ａのみならず、例えば最後尾の車両１Ｎにも設けても良い。この場合、通常は先頭車両１Ａの制御手段２０が作動しているが、この制御手段２０に何らかの不具合が生じた時に、車両１Ｎにある制御手段２０を作動させるように設定すると良い。
【００３４】
図６は、単方向通信用の照明手段１１の詳細を示すブロック図であり、図７は、双方向通信用の照明手段１１の詳細を示すブロック図である。図６のうち、図６（ａ）は、照明手段１１ごとの識別ＩＤを使用しない場合のブロック図であり、図６（ｂ）は、識別ＩＤを使用する場合のブロック図である。先ず、図６（ａ）に示すように、照明手段１１の送受信部１３（図２参照）は、単方向通信用であるため、前記制御手段２０から入力した制御情報を復調する受信・復調部１３１と、復調した制御信号や他からの信号の受信を判定して調色制御部１４に送信する受信判定部１３３とから成る。
【００３５】
調色制御部１４は、前記受信判定部１３３を介して受信した前記調色データに基づき調色パターンを生成する調色パターン生成部１４１と、個々の光源１２ごとに設けられ、各光源１２の駆動を前記調色パターン生成部１４１からの調色パターンに基づき直接制御する調光制御部１４２とから成る。図６に示す例では、調光制御部１４２によって個々の光源１２を調光することで、各光源１２の発光レベルの割合を調整し、意図する調色パターンの色温度で点灯できるように構成されている。なお、厳密には調色制御部１４も、前記制御手段２０と共に、照明手段１１（光源１２）の照明を調整する「制御手段」に該当する。
【００３６】
また、図６（ｂ）に示す照明手段１１のブロック図は、前記受信判定部１３３に識別ＩＤ設定部１５が接続されている以外は、前述した図６（ａ）に示すブロック図と同一である。ここで識別ＩＤ設定部１５は、操作者（乗務員）の手動によって、個々の照明手段１１ごとに、あるいは車両（号車）ごとに照明手段１１の調色パターンを選択するためのスイッチであり、照明手段１１を識別するための識別ＩＤは、前述した照明手段識別ＩＤ情報ＲＯＭ２７，２８から取得する。なお、識別ＩＤ設定部１５は、照明手段１１ではなく、乗務員室にある制御手段２０に設け、制御手段２０で集中的に操作できるように構成しても良い。
【００３７】
図７に示す双方向通信用の照明手段１１のブロック図では、前述した図６（ｂ）に示すブロック図とは、送受信部１３（図２参照）の構成のみが異なる。すなわち、図７において送受信部１３（図２参照）は、双方向通信用であるため、前記制御手段２０から入力した制御情報を復調する受信・復調部１３１の他、照明手段１１の点灯に関する情報を変調して送信する変調・送信部１３２も備えている。また、前記受信判定部１３３も備えている。なお、図７では識別ＩＤ設定部１５を備えているが、識別ＩＤ設定部１５を省いて構成しても良い。
【００３８】
次に、本実施の形態に係る客室用照明装置１０の作用について説明する。  
本実施の形態に係る客室用照明装置１０によれば、鉄道車両１の客室内を照らす照明手段１１は、調光が容易なＬＥＤランプから成る光源１２を備え、この光源１２は色温度の異なる複数の光源１２Ａ，１２Ｂを組み合わせて成る。よって、各光源１２Ａ，１２Ｂの発光レベルの様々な組み合わせにより、予め定めた調色パターンである所望の色温度に調色することができる。
【００３９】
照明手段１１の調色に際しては、図４において、モニター手段を成す制御手段２０の判定部２３によって各種情報が検知されると、判定部２３は、その情報に対応した調色パターンに関する情報を、前記各パターン設定情報ＲＯＭ２２ａ〜２２ｃや調色パターン記憶部２９等から取得する。ここで判定部２３は、検知した各種情報のうち現時点の状況に該当するものを特定し、これに合致した調色パターンを照合する。この調色パターンは、制御手段２０から照明手段１１の送受信部１３を介して調色制御部１４に送信され、調色制御部１４の制御によって前記調色パターンに基づき光源１２が調色される。
【００４０】
このように客室用照明装置１０では、各種情報に応じた様々な調色が可能となる。各種情報とは、鉄道車両１の移動に伴ない変化する地点情報や、当該地点が市街地か郊外であるか等の環境や天気等の外部状況、それに日時を特定するカレンダー情報や時刻情報等と、様々な事象に関する分類が考えられる。以下、具体的な事例に基づき、図８〜図１１のフローチャートに沿って説明する。
【００４１】
図８は、走行位置に応じて調色する制御の流れを示すフローチャートである。  
最初に、制御手段２０の判定部２３は、前述したように車輪回転数やＧＰＳ等からの地点情報に基づいて走行位置情報を取得する（ステップＳ１０１）。続いて判定部２３は、走行位置に関する調色パターン情報を取得する（ステップＳ１０２）。このとき判定部２３は、前記位置・調色パターン設定情報ＲＯＭ２２ｃ等のデータにアクセスする（ステップＳ１０３）。
【００４２】
そして、判定部２３は、走行位置情報と取得した調色パターンとを照合する（ステップＳ１０４）。次いで、前記照合で該当した調色パターンに基づき、照明手段１１の光源１２を調色する（ステップＳ１０５）。ここで具体的な調色パターンとしては、例えば、始発駅から中間地点の駅までは昼白色または寒色系に調色し、中間地点の駅から終点駅にかけては電球色または暖色系に調色すること等が考えられる。このように、走行位置によって照明手段１１の色味を変えることができる。
【００４３】
図９は、現在時刻に応じて調色する制御の流れを示すフローチャートである。  
最初に、制御手段２０の判定部２３は、現在時刻情報を取得する（ステップＳ１１１）。ここで現在時刻情報は、制御手段２０に備えられている内部時計２６から常時取得することができる（ステップＳ１１２）。続いて判定部２３は、時刻に関する調色パターン情報を取得する（ステップＳ１１３）。このとき判定部２３は、前記時刻・調色パターン設定情報ＲＯＭ２２ａ等のデータにアクセスする（ステップＳ１１４）。
【００４４】
そして、判定部２３は、現在時刻情報と取得した調色パターンとを照合する（ステップＳ１１５）。次いで、前記照合で該当した調色パターンに基づき、照明手段１１の光源１２を調色する（ステップＳ１１６）。ここで具体的な調色パターンとしては、例えば、朝から日中は昼白色または寒色系に調色し、夕方から夜にかけては電球色または暖色系に調色すること等が考えられる。このように、時刻によって照明手段１１の色味を変えることができる。
【００４５】
図１０は、日付に応じて調色する制御の流れを示すフローチャートである。  
最初に、制御手段２０の判定部２３は、現在日付情報を取得する（ステップＳ１２１）。ここで現在日付情報も、制御手段２０に備えられている内部時計２６から常時取得することができる（ステップＳ１２２）。続いて判定部２３は、日付に関する調色パターン情報を取得する（ステップＳ１２３）。このとき判定部２３は、前記日付・調色パターン設定情報ＲＯＭ２２ｂ等のデータにアクセスする（ステップＳ１２４）。
【００４６】
そして、判定部２３は、現在日付情報と取得した調色パターンとを照合する（ステップＳ１２５）。次いで、前記照合で該当した調色パターンに基づき、照明手段１１の光源１２を調色する（ステップＳ１２６）。このように、日付によって照明手段１１の色味を変えることができる。なお、日付に基づく調色には、毎日異なるような数多の調色パターンを用意しても良いが、所定の日数分だけ用意した調色パターンを繰り返しローテーションさせても良い。
【００４７】
また、時刻や日付の他にも、同じく内部時計２６から取得可能な曜日や季節に関する情報に基づいて、照明手段１１を調色するように制御しても良い。例えば、季節に基づき調色する場合には、春はウグイス色に調色し、夏は水色に調色し、秋から冬にかけては暖色系に調色したり、あるいは、もっとパターンを単純化して、春から夏にかけては昼白色に調色し、秋から冬にかけては電球色に調色することも考えられる。
【００４８】
図１１は、号車（車両）に応じて調色する制御の流れを示すフローチャートである。  
最初に、制御手段２０の判定部２３は、全ての照明手段１１の識別ＩＤ情報を取得する（ステップＳ１３１）。ここで、照明手段１１ごとの識別ＩＤ情報は、一方の照明手段識別ＩＤ情報ＲＯＭ２７から調色パターン設定部２４を介して取得する（ステップＳ１３２）。続いて判定部２３は、号車（車両）ごとの照明手段１１の識別ＩＤ情報も取得する（ステップＳ１３３）。ここで、号車（車両）ごとの照明手段１１の識別ＩＤ情報は、もう一方の照明手段識別ＩＤ情報ＲＯＭ２８から調色パターン設定部２４を介して取得する（ステップＳ１３４）。
【００４９】
そして、判定部２３は、識別ＩＤ設定部１５等による乗務員操作によって入力された情報等に基づいて、所定の調色パターン情報を取得する（ステップＳ１２５）。このとき判定部２３は、所定の調色パターンが記憶されている調色パターン記憶部２９、あるいは各調色パターン設定情報ＲＯＭ２２ａ〜２２ｃ等のデータにアクセスする（ステップＳ１３６）。次いで、調色データ生成部２５により所定の調色データを生成して（ステップＳ１３７）、該調色データに既に取得してある前記識別ＩＤを付加してから（ステップＳ１３８）、照明手段１１にデータ送信して（ステップＳ１３９）、照明手段１１の光源１２を調色する。
【００５０】
このように制御手段２０は、照明手段１１を個々または客室単位で調色することが可能である。具体的には例えば、女性専用車両だけを薄いピンク色や電球色に調色し、それ以外の車両を昼白色に調色したり、あるいは、同じ車両の客室内でも、シルバーシートや車椅子エリア等、特定エリアの照明手段１１だけを電球色または暖色系に調色し、それ以外のエリアの照明手段１１は昼白色または寒色系に調色すること等が考えられる。このように、照明手段１１に個々あるいは号車（車両）ごとに識別可能な識別ＩＤを付与しておくことにより、照明手段１１を個別あるいは号車（車両）単位で様々な調色を行うことができる。
【００５１】
ところで、前述した各調色パターンには、それぞれの分類ごとに優先度を表すフラグデータが付加されており、このフラグデータから優先度の高い分類の調色データが優先して選択されるように設定されている。具体的には例えば、各調色パターンデータのうち、それぞれのヘッダデータの６ビット目に２ビットの優先度フラグを割り当てる。ここで２ビットの例として、「００」は優先度が最高ランク、「０１」は優先度が高ランク、「１０」は優先度が中ランク、「１１」は優先度が低ランク等と定めておく。
【００５２】
そして、制御手段２０の判定部２３は、前記各調色パターンから読み込まれた、それぞれの調色パターンデータから前記２ビットを識別することで、優先度を判定することができる。例えば、前述した時刻に関する調色パターンが最高ランクで、他の日付に関する調色パターンや走行位置に関する調色パターン等が何れも高ランク以下であった場合には、時刻に関する調色パターンで照明手段１１は調色される。
【００５３】
また、同じランクの優先度の調色パターンが重複する場合もあり得るため、各調色パターンの分類ごとに予め順位付けを行っておくと良い。例えば、優先度が重複した場合、前述した例では、時刻＜日付＜走行位置というように予め順位付けを行う。これにより、例えば、日付と走行位置に関する各調色パターンが、それぞれ最も高い同じ優先度のフラグであった場合は、走行位置＞日付の順位付けであるために、走行位置に関する調色パターンで照明手段１１は調色される。
【００５４】
さらに、前述したように、乗務員（操作者）の手動操作（乗務員操作）によっても調色パターンの選択が可能であるが、該手動操作により何れかの調色パターンが選択された場合には、前記優先度に関わらず手動操作で選択された調色パターンが優先されるように設定されている。これにより、例えば、走行位置に関する調色パターンに基づき調色されている場合でも、乗務員の手動操作によって、他の調色パターンが選択されたり、前述したように個々の照明手段１１ごと、あるいは号車（車両）単位での調色が選択された場合には、これらの手動で選択された調色パターンに切り替わって、照明手段１１は調色されることになる。
【００５５】
また、制御手段２０および照明手段１１が、図３、図６に示した単方向通信用に構成されている場合に、照明手段１１が制御手段２０からの制御信号（調色パターン情報）を正常に受信できなかった時は、通信不良時用に予め用意してある調色パターンに基づき照明手段１１は調色される。これにより、制御手段２０自体の故障や断線等が原因で通信不良が生じても、所定の調色は可能となる。
【００５６】
ここでの非常用の調色パターンは適宜定めれば良い。また、通信不良に関する判断は、例えば、制御手段２０からは予め決めた間隔で制御信号を送信するように設定しておき、受信側である照明手段１１で、一定時間以上の受信が無いときは通信不良とみなすように定めておくと良い。かかる場合、照明手段１１は、自身の調色制御部１４によって光源１２を調色することになる。
【００５７】
また、制御手段２０および照明手段１１が、図４、図７に示した双方向通信用に構成されている場合には、特に照明手段１１も双方向通信機能を備え、照明手段１１の受信判定部１３３から制御手段２０に向けて情報を送信することも可能となる。これにより、照明手段１１における実際の状況を、制御手段２０側でも把握することができるだけでなく、いわゆるフィードバック制御を行うことも可能となる。なお、制御手段２０における制御装置の入出力を、２系統に分けるように構成しても良い。
【００５８】
さらに、図５に示したように、制御手段２０を、同一または異なる車両内に複数設けても良い。このように、制御手段２０を複数設けた場合には、何れか１つの制御手段２０が通常は作動して照明手段１１の調色等の制御を行うが、万一この制御手段２０に不具合が生じた場合には、他の制御手段２０を作動させて照明手段１１の調色等の制御を行うように設定する。これにより、制御手段２０の故障や断線時でも、本来の調色パターンに基づく調色制御が可能となる。
【００５９】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、乗物として鉄道車両に適用した例を説明したが、これに限らず飛行機や自動車等の様々な乗物に適用することができる。
【００６０】
また、前記モニター手段を成す制御手段２０の判定部２３によって検知される情報は、前述の時刻や日付、走行位置等に限定されることはなく、他に例えば、走行位置が市街地か郊外であるか等の環境や天気等の外部状況、あるいは運行時のイベントによって調色するようにしても面白い。イベントに関しては、具体的には、日本シリーズ期間中は暖色系に調色したり、お祭り開催中は寒色系に調色すること等が考えられる。
【産業上の利用可能性】
【００６１】
本発明は、鉄道車両に代表される車両に搭載され、該車両の客室内を照らすための客室用照明装置に広く適用することができる。
【符号の説明】
【００６２】
１…鉄道車両
１０…客室用照明装置
１１…照明手段
１２…光源
１３…送受信部
１４…調色制御部
１５…識別ＩＤ設定部
２０…制御手段
２１…送受信部
２２…設定情報記憶部
２３…判定部
２４…調色パターン設定部
２５…調色データ生成部
２６…内部時計
２７…照明手段識別ＩＤ情報ＲＯＭ
２８…照明手段識別ＩＤ情報ＲＯＭ
２９…調色パターン記憶部
１３１…受信・復調部
１３２…変調・送信部
１３３…受信判定部
１４１…調色パターン生成部
１４２…調光制御部
【図１】
0006045657.tif 000002
【図２】
0006045657.tif 000003
【図３】
0006045657.tif 000004
【図４】
0006045657.tif 000005
【図５】
0006045657.tif 000006
【図６】
0006045657.tif 000007
【図７】
0006045657.tif 000008
【図８】
0006045657.tif 000009
【図９】
0006045657.tif 000010
【図１０】
0006045657.tif 000011
【図１１】
0006045657.tif 000012